(57)【要約】      （修正有）【課題】展示品の価値を向上させるため、立体的に見せることができ、また見せ方を変えることのできる展示品の提供を課題とするとともに、当該展示品を構成する好適なフレームの提供する。【解決手段】展示品10は、フレーム30とフレーム30内に並列に配置されたデザインあるいは文字を付した透光板20を備える。このフレーム30には、フレーム30の内側を向いた無色又は有色の光を照射する光源32が、フレーム30に配置された複数枚の透光板20の一又は複数の透光板20位置に一致する場所に設けられている。また、この光源32は複数色の色から無色、単色または複数色のうちからいずれかを選択して照射可能に形成されている。これにより、各透光板20に照射させる光の色を変化させ、各透光板20に付されたデザインあるいは文字を合成して異なった印象として立体表示可能とした。【選択図】図１
2016212335.tif 000002
【特許請求の範囲】
【請求項１】
デザインあるいは文字等を付した透光板を複数枚前後方向に並列配置すると共に、
前記各透光板に、その周囲から複数色の色から無色、単色または複数色のうちからいずれかを選択して照射可能に形成し、
各透光板に照射させる光の色を変化させることによって、各透光板に付されたデザインあるいは文字を合成して異なった印象として立体表示可能としたことを特徴とする展示品。
【請求項２】
前後方向に厚みを有し、枠体の内側に複数枚の透光板を配置可能となっているフレームであって、
前記枠体の内側に、枠体の内側を向いた無色又は有色の光を照射する光源を設けると共に、
前記光源は、枠体に配置可能となっている複数枚の透光板の一又は複数の透光板位置に一致する場所に、無色又は複数色の色から選択された単一又は複数の光源を位置させたことを特徴とするフレーム。
【発明の詳細な説明】
【技術分野】
【０００１】
本発明は立体的に見せることのできる展示品及び、当該展示品に用いられるフレームに関する。
【背景技術】
【０００２】
絵画等の著作物を、展示方法によってその価値を向上させるため、平面に描かれた絵画を立体的に見せるようにする方法や、その絵画にライトを当てて目立つようにしたりする方法がある。
平面に描かれた絵画等のデザインを立体的に表現する方法としては、平面絵図に関連した平面部分絵図を透明薄板に描き、その透明薄板を並列に複数枚並べることで、平面絵図を立体的に表現する方法が特許文献１に開示されている。
また、絵画にライトを当てる方法としては、額縁の内側背面にライトを設けて背面から絵画を照らす方法が特許文献２に開示されている。
【先行技術文献】
【特許文献】
【０００３】
【特許文献１】特開２００７−１０２１４７号公報
【特許文献２】特開平１０−４０７１４号公報
【発明の概要】
【発明が解決しようとする課題】
【０００４】
しかし、特許文献１に開示されている方法では、展示の仕方が一辺倒で、鑑賞者が飽きてしまう。
また、特許文献２に開示されている方法では、単に背後から光を照射するだけであって、立体的に見えるわけでもなく、展示品の価値が向上するとは言い難い。
そこで、本発明においては、展示品の価値を向上させるため、立体的に見せることができ、また見せ方を変えることのできる展示品の提供を課題とするとともに、当該展示品を構成する好適なフレームの提供を課題とする。
【課題を解決するための手段】
【０００５】
（第１の発明）
本発明における第１の発明は、展示品10であって、
デザインあるいは文字等を付した透光板20を複数枚前後方向に並列配置すると共に、
前記各透光板20に、その周囲から複数色の色から無色、単色または複数色のうちからいずれかを選択して照射可能に形成し、
各透光板20に照射させる光の色を変化させることによって、各透光板20に付されたデザインあるいは文字を合成して異なった印象として立体表示可能としたことを特徴とする。
【０００６】
本発明において、透光板20とは、ガラスや透明のアクリル板など、光を透過する素材であればよい。なお、アクリル板よりも、ガラス等の透明度の高い素材の方が、好適に使用できる。
また、透光板20に付されたデザイン等には色が付されていてもよい。
【０００７】
上記のように構成された展示品10は、透光板20の側面から光を照射させるため、複数枚の透光板20に光が照射される。また、側面から光が照射されるため、透光板20の影または透光板に描いたデザインあるいは文字の影が生じにくく、展示品10を見たときにデザインがより立体的に見える。また、光の色調と透光板20に付された色の組み合わせによって、様々な発光形態を表現することができる。
また、透光板20ごとに異なる色調の光を照射するように形成し、一部の透光板20だけを異なる色で光らせることで、展示品10の趣を変えることができる。具体的には、最背面に位置する透光板20に照射する光を無色から赤色に経時変化するようにし、その他の透光板20には継続して無色の光を照射し続けるように形成する。このように形成することで、日中から夕暮れまでの様子を演出することができ、展示品10の趣を変えることができる。また、透光板20によって、異なった色を照射して、展示品10の趣を変えることもできる。
【０００８】
また、展示品10の背面から光を取り入れることができるように形成し、展示品10を窓際に置いた場合、日の明るいうちは窓から入る光が展示品10の後方から照射され、日が暮れた後、側面から光を照射させることで、一日のうちで異なる趣の展示品10を鑑賞できる。もちろん、展示品10を窓際に置き、日の明るいうちは窓から入る光が展示品10の後方から照射するように形成すると共に、側面から光を照射させることで、更に異なる趣とすることも出来る。
また、透光板20の一部を入れ替えることによって、季節等によって異なるデザインを楽しむことができる。例えば、背景を表した透光板20だけを、春には桜の描かれた透光板20に入れ替えたり、夏には草花が描かれた透光板20に入れ替えたりすることで、季節を表現することができる。また、一部ではなく、全部の透光板20を入れ替えることで、異なるデザインを楽しむことができる。
【０００９】
（第２の発明）
本発明における第２の発明は、前後方向に厚みを有し、枠体31の内側に複数枚の透光板20を配置可能となっているフレーム30であって、
前記枠体31の内側に、枠体31の内側を向いた無色又は有色の光を照射する光源32を設けると共に、
前記光源32は、枠体31に配置可能となっている複数枚の透光板20の一又は複数の透光板20位置に一致する場所に、無色又は複数色の色から選択された単一又は複数の光源32を位置させたことを特徴とする。
本発明における光源32は複数枚の透光板20全体に光が照射されるように一つ配置してもよいが、複数枚の透光板20が位置するところにそれぞれ配置してもよい。また、光源32を透光板20の配置される枚数とは関係なく複数、枠体31の側面の前後方向に並列に配置してもよい。また、光源32を複数設けた場合、各光源32の色調が、それぞれ別に変化するように形成してもよい。
【発明の効果】
【００１０】
上記のように、本発明における展示品は、同じデザインであっても、趣の異なるものを提供できる。また、側面から光を照射することで、従来よりも立体的に見える展示品を提供できる。よって、展示品の価値を向上させることができる。
【図面の簡単な説明】
【００１１】
【図１】第１の実施の形態にかかる展示品の透光板とフレームの斜視図である。
【図２】第１の実施の形態にかかる第１から第６透光板の斜視図（Ａ）及び第３透光板と第４透光板の正面図（Ｂ）である。
【図３】第１の実施の形態にかかる展示品の正面図である。
【図４】第２の実施の形態にかかる展示品における光源と透光板の位置関係を示す概略図である。
【図５】第２の実施の形態にかかる展示品における光源の変形例であって、光源と透光板の位置関係を示す概略図である。
【図６】第１及び第２の実施の形態にかかる展示品の変形例における透光板を示す図である。
【発明を実施するための形態】
【００１２】
第１及び第２の実施の形態において、展示品10の前方とは、後述する第６透光板26から第１透光板21に向かう方向をいい、後方とは第１透光板21から第６透光板26に向かう方向をいう。また、「右」や「左」等の左右方向は、前方から鑑賞者Aが展示品10を見た場合の左方向や、右方向を意味する。また、展示品10の各部材の説明においても、方向についての定義等が示されていない場合には、各部材を、展示品10の所定位置に固定した状態における鑑賞者Aから見た方向を意味する。
【００１３】
（第１の実施の形態）
第１の実施の形態にかかる展示品10は、図１に示すように、６枚の透光板20と、この６枚の透光板20を入れることのできるフレーム30と、からなる。
（透光板20）
６枚の透光板20のうち５枚の透光板20には、図２（Ａ）に示すように、１枚ごとに異なるデザインが描かれている。また、６枚の透光板20のうちの１枚は、デザインの描かれていない磨りガラスである。６枚の透光板20のうち、デザインの描かれていない磨りガラスを第６透光板26とし、この第６透光板26にデザインの描かれた５枚の透光板20を重ねて見ると図３に示すように一枚のデザイン画になる。ここで、第６透光板26に重ねられた透光板20を、第６透光板26側から手前に向かって順に第５透光板25、第４透光板24、第３透光板23、第２透光板22及び第１透光板21とする。
【００１４】
ここで、それぞれの透光板20に描かれたデザインは、５枚の透光板20を重ねた際に現れる、図３に示すような、一枚のデザイン画を平面絵図としたときに、平面絵図のうち、手前に浮き上がらせたい部分から順番に第１透光板21、第２透光板22、第３透光板23と順に描いたものである。
この透光板20はガラス素材からなる光を透過する板である。また、透光板20に描かれたデザインはプリントされたものである。なお、透光板20は、透明度が高いガラス素材であることが好ましいが、これに限らず透明のアクリル板であってもよい。また、透光板20にデザインを描く際には、手書きでもよいし、ステンドグラスのようにガラスを貼り合わせることで描いてもよい。また、各透光板20に描かれたデザインには、必要に応じて色が付されているものの、光は透過するように形成されている。
【００１５】
（フレーム30）
フレーム30は、図１に示すように、前後方向に厚みを有し、かつ前述の６枚の透光板20を配置することのできる枠体31と、枠体31の内側の側面に沿って設けられた無色を含む複数色の光源32と、を備える。なお、透光板20を保護するために、枠体31の前面及び背面に保護板を設けてもよい。この保護板は、前面に設ける保護板のみ透明であればよく、背面に設ける保護板は透明であっても、木製の板等であってもよい。展示品10の背面から光を取り入れることができるように形成した場合には、背面の保護板も透明とすることが必要である。
【００１６】
枠体31は、枠体31を構成する四辺のうち、左側面を構成する部分（左側面部31aとする）を取り外すことができるように形成されている。この左側面部分31aを取り外して、透光板20を枠体31に収納することができる。また、枠体31の内側の底面には、透光板20を配置することができるようにするため、透光板20と嵌合する溝31bが形成されている。
なお、透光板20を枠体31に納めることができ、枠体31に納めた際に位置がずれなければ良く、枠体31の側面部分を取り外し可能に形成する方法や内側の底面に溝31bを設ける方法に限定されるわけではない。
【００１７】
光源32は、枠体31の内側であって、側面に配置されている。また、光源32は、縦に一列に、内側に向かって光が照射されるように配置されている。この光源32は図１に示すような豆電球33がリード線34によって複数個つながれたものである。それぞれの豆電球33は、無色、赤色、青色又は緑色の光を照射する。この光源32は無色、赤色、青色又は緑色の豆電球33の中から選択して光らせることができるように形成されている。具体的には、外部にコントローラがあり、赤色の豆電球33だけが光るようにしたり、赤色と青色の豆電球33だけが光るようにしたりすることができる。また、経時的に豆電球33の色が変わるように形成することも出来るし、色変化と同時にまたは色変化とは別に経時的に明るさが変わるようにしたりすることもできる。この光源32の電源は、外部から供給されるようにしてもよく、また、枠体31に電池を配置し、この電池から供給されるようにしてもよい。
【００１８】
なお、光源32はこれに限ったものではなく、豆電球33等の光源32を枠体31に埋め込み、枠体31と光源32とを一体にして形成してもよい。また、豆電球33に限ったものではなく、光源32の形状等に制限はない。また、光源32としては、発熱しにくい発光ダイオードであることが好ましいが、蛍光灯や白熱電球等であってもよく、光を照射するものであれば制限はない。なお、光源32は、光を６枚の透光板20に均等に照射させるため、出来るだけ透光板20から離して設けた方が良い。
【００１９】
（展示品10）
上記のように構成された展示品10は、光源32から照射される光が透光板20の側面からあたるため、６枚の透光板20に照射される。また、側面から光が照射されるため、透光板20の影または透光板に描いたデザインあるいは文字の影が生じにくく、背面から光を照射させるよりも、立体的に見える。また、光源32の色調と透光板20に付された色の組み合わせによって、様々な発光形態を表現することができる。例えば、透光板20の色の付された部分が青色の光だけを透過する場合、赤色と青色の光を照射しても、青色の光だけが鑑賞者Aに届く。そのため、赤色と青色、それぞれの色の光の明るさを経時的に変化させても、当該色の付された部分については、青色の光の明るさの経時変化だけを鑑賞者Aが認識する。一方、透光板20の色の付された部分が赤色と青色の光を両方透過させることができる場合、赤色と青色の光を照射し、それぞれの色の光の明るさを経時的に変化させると、当該色の付された部分については、どちらの色の光の明るさの経時変化も鑑賞者Aは認識できる。そこで、図２（Ｂ）に示す第３透光板23及び第４透光板24に描かれた猫の首あたりに描かれたブローチ部分23aを赤色と青色の光をどちらも透過させることができるように着色し、それ以外の部分は青色の光だけを透過するように構成する。そして、赤色と青色の光を照射し、赤色の光の明るさだけを経時的に変化させると、ブローチ部分23aだけに赤色の光の経時変化が反映され、ブローチ部分23aが点滅したように見える。このように、全体に光を照射させながらも、一部分だけが点滅しているように見せることができる。
【００２０】
また、第６透光板26を磨りガラスにしたため、展示品10を窓際に置くと、日の明るいうちは窓から入る光が展示品10の後方から照射され、日が暮れた後は光源32の電源を入れて、側面から光を照射させることで、一日のうちで異なる趣の展示品10を鑑賞できる。もちろん、展示品10を窓際に置き、日の明るいうちは窓から入る光が展示品10の後方から照射するように形成すると共に、光源32の電源を入れて、側面から光を照射させることで、更に異なる趣とすることも出来る。
また、透光板20は差し替え可能に形成されているため、透光板20の一部を入れ替えることによって、季節等によって異なるデザインを楽しむことができる。例えば、背景を表した第５透光板25だけを、春には桜の描かれた透光板20に入れ替えたり、夏には草花が描かれた透光板20に入れ替えたりすることで、季節を表現することができる。また、一部ではなく、全部の透光板20を入れ替えることで、異なるデザインを楽しむことができる。
【００２１】
（第２の実施の形態）
第２の実施の形態は、第１の実施の形態と、光源32の配置方法のみ異なる。
光源32としては、図４に示すように、複数の透光板20にそれぞれ対応するように第１光源32a、第２光源32b、第３光源32c、第４光源32d、第５光源32e及び第６光源32fが枠体31に配置されている。それぞれの光源32は、第１の実施の形態と同様、無色、赤色、青色又は緑色の豆電球33及びそれぞれの豆電球33をつなぐリード線34から構成されている。また、無色、赤色、青色又は緑色の豆電球33の中から選択して光らせることができるように形成されている。それぞれの光源32は、他の光源32の色変化等と同時にまたは色変化等とは別に色変化等をする。
【００２２】
これにより、透光板20ごとに異なる色調の光を照射することができ、一部の透光板20だけを異なる色で光らせるたりすることで、展示品10の趣を変えることができる。
例えば、第６光源32fを無色から赤色に光の色が経時変化するように形成し、その他の５つの光源32は無色の光を照射し続けるように形成する。このように展示品10を形成することで、光源32の光の照射の仕方を変えるだけで、日中から夕暮れまでの様子を演出することができ、展示品10の趣を変えることができる。
【００２３】
なお、各光源32の光を、対応する透光板20だけに照射することができるようにするため、図５に示すように、光源32同士の間に遮光板35を設けてもよい。遮光板35を設けることで、各光源32の光の色変化等の影響を対応する透光板20だけに与えることができ、色変化等による演出をしやすくすることができる。
また、第２の実施の形態においては、光源32を透光板20に対応させるように設けたが、光源32を透光板20の配置される枚数とは関係なく複数、枠体31の側面の前後方向に並列に配置し、各光源32の色調が、それぞれ別に変化するように形成することで、様々な発光形態を表現してもよい。
【００２４】
（変形例）
第１及び第２の実施の形態においては、フレーム30の枠体31に溝31bを設けて、当該溝31bに透光板20を嵌合させることとしたが、これに限ったものではない。
例えば、厚みのある透光板20を重ねて、重なった状態で透光板20同士をボルトとナットのような固定具で留めつけ、留めつけた透光板20をフレーム30内に入れても良い。また、透光板20に厚みを設けると、より立体的に見えるものの、展示品10自体が重くなってしまうため、図６に示すように、一枚一枚の透光板20を薄くし、間にスペーサー27を設けて固定しても良い。これにより、展示品10の重量を軽くすることができ、容易に壁につり下げたりすることができる。
【符号の説明】
【００２５】
10  展示品                              20  透光板
21  第１透光板                          22  第２透光板
23  第３透光板                          24  第４透光板
24a  ブローチ部分                      25  第５透光板
26  第６透光板                          27  スペーサー
30  フレーム                            31  枠体
31a  左側面部分                        31b  溝
32  光源                              32a  第１光源
32b  第２光源                          32c  第３光源
32d  第４光源                          32e  第５光源
32f  第６光源                          33  豆電球
34  リード線                            35  遮光板
A  鑑賞者
【図１】
2016212335.tif 000003
【図２】
2016212335.tif 000004
【図３】
2016212335.tif 000005
【図４】
2016212335.tif 000006
【図５】
2016212335.tif 000007
【図６】
2016212335.tif 000008